(57)【要約】【課題】  立体アニメーションを伴なうページめくり表示をＤＶＤ再生装置上にて簡単に実現できる冊子型コンテンツ表示用ＤＶＤ−ｖｉｄｅｏディスクの作成装置を提供する。【解決手段】  動画ストリームデータファイルをＶＯＢファイルとして、ページめくり表示制御プログラムのデータをＩＦＯファイルとして組み込む形で、ＤＶＤ−ｖｉｄｅｏデータファイル８０ａを作成する。作成されたＤＶＤ−ｖｉｄｅｏデータファイル８０ａをＤＶＤメディア８０に書き込むことで、冊子型コンテンツの閲覧が可能なＤＶＤ−ｖｉｄｅｏディスクを簡単に得ることができる。【選択図】  図１４
2010278905.tif 000002
【特許請求の範囲】
【請求項１】
冊子型コンテンツの表示用データファイルがＤＶＤ−ｖｉｄｅｏデータファイルとして、ＤＶＤ読取装置により読み取り可能に記録されたＤＶＤ−ｖｉｄｅｏディスクの作成装置であって、
冊子型コンテンツの各ページを表示するためのページ画像データを取得するページ画像データ取得手段と、
取得した前記ページ画像データに基づいて、前記冊子型コンテンツのページめくり順に配列する、個々のページを見開き状態で表示する複数の見開きフレームと、前記ページめくり順において互いに隣接する一方の見開きページ状態から他方の見開きページ状態へ遷移するための立体ページめくりアニメーションを表示するページめくりフレーム群とからなる動画ストリームデータファイルを作成する動画ストリームデータファイル作成手段と、
前記冊子型コンテンツを表示装置に表示するための前記動画ストリームデータファイルのＤＶＤ再生装置における再生処理を、指定された表示ページに対応する見開きフレームを静止画表示する一方、前記冊子型コンテンツの前記表示装置に現在表示中の見開きページから次の見開きページへのめくり指令情報を取得するに伴ない、前記動画ストリームデータファイルに含まれる、次の見開きページに遷移するための前記ページめくりフレーム群を再生し、その後前記次の見開きページを静止画表示する形で制御するためのページめくり表示制御プログラムのデータを取得するページめくり表示制御プログラム取得手段と、
前記ＤＶＤ−ｖｉｄｅｏデータファイルを、作成された動画ストリームデータファイルをＶＯＢファイルとして、前記ページめくり表示制御プログラムのデータをＩＦＯファイルとして組み込む形で作成するＤＶＤ−ｖｉｄｅｏデータファイル作成手段と、
作成されたＤＶＤ−ｖｉｄｅｏデータファイルをＤＶＤメディアに書き込むＤＶＤ書込手段と、
を有することを特徴とする冊子型コンテンツ表示用ＤＶＤ−ｖｉｄｅｏディスク作成装置。
【請求項２】
前記動画ストリームデータファイル作成手段は前記動画ストリームデータファイルを、複数の前記見開きフレームと複数の前記ページめくりフレーム群とを交互に配列したものとして作成し、
前記ページめくり表示制御プログラムは、前記動画ストリームデータファイルのＤＶＤ再生装置における再生処理を、指定された表示ページに対応する見開き画像フレームにて前記動画ストリームデータファイルの再生を一時停止保持するとともに、前記めくり指令情報を取得するに伴ない、現在表示中の見開きページに対応する現在見開き画像フレームでの一時停止保持状態を解除させ、前記次見開き画像フレームまで前記ページめくりフレーム群の再生を継続させた後、当該次見開き画像フレームにて再度一時停止保持させる形で制御するものであり、
前記動画ストリームデータファイルは該ＤＶＤ−ｖｉｄｅｏデータにおいて前記ＶＴＳファイル群にＶＯＢファイルとして組み込まれ、前記ページめくり表示制御プログラムデータが前記ＶＴＳファイル群にＩＦＯファイルとして組み込まれる請求項１記載の冊子型コンテンツ表示用ＤＶＤ−ｖｉｄｅｏディスク作成装置。
【請求項３】
前記ページめくり表示制御プログラムは、前記冊子型コンテンツの現在表示中の見開きページから、ページ配列における順方向への次見開きページへのめくり指令情報である順方向めくり指令情報と、逆方向への次見開きページへのめくり指令情報である逆方向ページめくり指令情報との双方を取得可能であり、前記順方向めくり指令情報が取得された場合に前記動画ストリーム再生手段に対し該順方向に位置する前記ページめくりフレーム群の順方向再生を行なわせ、前記逆方向めくり指令情報が取得された場合に前記動画ストリーム再生手段に対し該逆方向に位置する前記ページめくりフレーム群の逆方向再生を行なわせる形で制御するものである請求項１記載の冊子型コンテンツ表示用ＤＶＤ−ｖｉｄｅｏディスク作成装置。
【請求項４】
前記ページめくり表示制御プログラムは前記立体ページめくりアニメーションを、
前記冊子型コンテンツの現在の見開き表示状態を形成する１対のページ紙片の一方を主ページ紙片とし、他方を補ページ紙片とし、該補ページ紙片の現在表示中のページを第一ページとし、前記主ページ紙片の現在表示中のページを第二ページとし、該主ページ紙片の裏面を構成するページを第三ページとし、前記第三ページと対をなしてページめくり後の見開き状態を形成する前記主ページ紙片の下層ページを第四ページとし、該主ページ紙片の紙片幅方向における綴じ合わせ側の縁をページ内縁とし、これと反対側の縁をページ外縁として、前記現在の見開き表示状態から前記第三ページと前記第四ページとからなるページめくり後の見開き表示状態へ切り替えるに際し、前記ページ内縁をめくり軸線として前記主ページ紙片を前記第四ページの紙面から浮き上がらせつつ前記第一ページ上へめくり転回させるとともに、アニメーションの各コマの前記主ページ紙片の立体形状を、それぞれ裏ページ側が常時隠蔽されるように前記ページ外縁を前記ページ内縁と平行に維持しつつ、常に表ページ側が凹となるように湾曲させた形状となるように規定するページ形状規定情報を取得し、前記ページ画像データに基づく前記第二ページ又は前記第三ページの表示画像を、取得されたページ形状規定情報に基づいて生成される各コマの前記主ページ紙片の見開き側ページ面に立体投影することによりページめくりコマデータを作成するものである請求項１ないし請求項３のいずれか１項に記載の冊子型コンテンツ表示用ＤＶＤ−ｖｉｄｅｏディスク作成装置。
【請求項５】
コンピュータを、
冊子型コンテンツの各ページを表示するためのページ画像データを取得するページ画像データ取得手段と、
取得した前記ページ画像データに基づいて、前記冊子型コンテンツのページめくり順に配列する、個々のページを見開き状態で表示する複数の見開きフレームと、前記ページめくり順において互いに隣接する一方の見開きページ状態から他方の見開きページ状態へ遷移するための立体ページめくりアニメーションを表示するページめくりフレーム群とからなる動画ストリームデータファイルを作成する動画ストリームデータファイル作成手段と、
前記冊子型コンテンツを表示装置に表示するための前記動画ストリームデータファイルのＤＶＤ再生装置における再生処理を、指定された表示ページに対応する見開きフレームを静止画表示する一方、前記冊子型コンテンツの前記表示装置に現在表示中の見開きページから次の見開きページへのめくり指令情報を取得するに伴ない、前記動画ストリームデータファイルに含まれる、次の見開きページに遷移するための前記ページめくりフレーム群を再生し、その後前記次の見開きページを静止画表示する形で制御するためのページめくり表示制御プログラムのデータを取得するページめくり表示制御プログラム取得手段と、
前記ＤＶＤ−ｖｉｄｅｏデータファイルを、作成された動画ストリームデータファイルをＶＯＢファイルとして、前記ページめくり表示制御プログラムのデータをＩＦＯファイルとして組み込む形で作成するＤＶＤ−ｖｉｄｅｏデータファイル作成手段と、
作成されたＤＶＤ−ｖｉｄｅｏデータファイルをＤＶＤメディアに書き込むＤＶＤ書込手段と、
して機能させるコンピュータプログラム。
【請求項６】
請求項５記載のコンピュータプログラムがコンピュータ読み取り可能に格納された記録媒体。
【発明の詳細な説明】
【技術分野】
【０００１】
本発明は、冊子型コンテンツ表示装置及び冊子型コンテンツ表示用ＤＶＤ−ｖｉｄｅｏディスクに関するものである。
【背景技術】
【０００２】
コンピュータを用いて文書や画像ないしそれらの組み合わせからなるコンテンツ（電子情報）を表示・閲覧できるようにする装置において、コンテンツを複数のページに区切り、かつそれらページを冊子（ブック）型にまとめ、例えば使用者の操作入力に従い、ページめくり形式にて表示切替を行なうようにしたものがある。そして、冊子型コンテンツであることのリアリティを高めるために、その表示切替時に立体的なページめくりアニメーションを表示する装置の提案が多数なされている（特許文献１〜５）。
【先行技術文献】
【特許文献】
【０００３】
【特許文献１】特開２００９−２５９４０号公報
【特許文献２】特開２００６−２８５３７５号公報
【特許文献３】特開２００６−１７２４６５号公報
【特許文献４】特開平８−１０６４６９号公報
【特許文献５】ＷＯ０２／０１５０４３号公報
【発明の概要】
【発明が解決しようとする課題】
【０００４】
冊子型コンテンツにおいて興味の主体をなすのは各ページの表示内容であり、上記いずれの方式においても冊子型コンテンツのデータファイルは、各ページの静止画データの集合として構築されていた。この場合、ページめくりアニメーションは、各ページの静止画データを用いてその都度動画フレームを作成し再生するようにしていたので、データ処理量が増大する欠点があった。特に立体ページめくりアニメーションを表示する場合は、めくり途中のページ面にページ画像を三次元投影する処理が必要であり、とりわけ演算量が急増する問題がある。
【０００５】
本発明の課題は、立体アニメーションを伴なうページめくり表示をＤＶＤ再生装置上にて簡単に実現できる冊子型コンテンツ表示用ＤＶＤ−ｖｉｄｅｏディスクの作成装置と、その作成装置の機能をコンピュータ上に実現するためのプログラム及び該プログラムを格納した記録媒体とを提供することにある。
【課題を解決するための手段及び発明の効果】
【０００６】
上記の課題を解決するために、本発明の冊子型コンテンツ表示用ＤＶＤ−ｖｉｄｅｏディスク作成装置は、冊子型コンテンツの表示用データファイルがＤＶＤ−ｖｉｄｅｏデータファイルとして、ＤＶＤ読取装置により読み取り可能に記録されたＤＶＤ−ｖｉｄｅｏディスクの作成装置であって、
冊子型コンテンツの各ページを表示するためのページ画像データを取得するページ画像データ取得手段と、
取得したページ画像データに基づいて、冊子型コンテンツのページめくり順に配列する、個々のページを見開き状態で表示する複数の見開きフレームと、ページめくり順において互いに隣接する一方の見開きページ状態から他方の見開きページ状態へ遷移するための立体ページめくりアニメーションを表示するページめくりフレーム群とからなる動画ストリームデータファイルを作成する動画ストリームデータファイル作成手段と、
冊子型コンテンツを表示装置に表示するための動画ストリームデータファイルのＤＶＤ再生装置における再生処理を、指定された表示ページに対応する見開きフレームを静止画表示する一方、冊子型コンテンツの表示装置に現在表示中の見開きページから次の見開きページへのめくり指令情報を取得するに伴ない、動画ストリームデータファイルに含まれる、次の見開きページに遷移するためのページめくりフレーム群を再生し、その後次の見開きページを静止画表示する形で制御するためのページめくり表示制御プログラムのデータを取得するページめくり表示制御プログラム取得手段と、
ＤＶＤ−ｖｉｄｅｏデータファイルを、作成された動画ストリームデータファイルをＶＯＢファイルとして、ページめくり表示制御プログラムのデータをＩＦＯファイルとして組み込む形で作成するＤＶＤ−ｖｉｄｅｏデータファイル作成手段と、
作成されたＤＶＤ−ｖｉｄｅｏデータファイルをＤＶＤメディアに書き込むＤＶＤ書込手段と、を有することを特徴とする。
【０００７】
また、本発明のコンピュータプログラムは、
コンピュータを、
冊子型コンテンツの各ページを表示するためのページ画像データを取得するページ画像データ取得手段と、
取得したページ画像データに基づいて、冊子型コンテンツのページめくり順に配列する、個々のページを見開き状態で表示する複数の見開きフレームと、ページめくり順において互いに隣接する一方の見開きページ状態から他方の見開きページ状態へ遷移するための立体ページめくりアニメーションを表示するページめくりフレーム群とからなる動画ストリームデータファイルを作成する動画ストリームデータファイル作成手段と、
冊子型コンテンツを表示装置に表示するための動画ストリームデータファイルのＤＶＤ再生装置における再生処理を、指定された表示ページに対応する見開きフレームを静止画表示する一方、冊子型コンテンツの表示装置に現在表示中の見開きページから次の見開きページへのめくり指令情報を取得するに伴ない、動画ストリームデータファイルに含まれる、次の見開きページに遷移するためのページめくりフレーム群を再生し、その後次の見開きページを静止画表示する形で制御するためのページめくり表示制御プログラムのデータを取得するページめくり表示制御プログラム取得手段と、
ＤＶＤ−ｖｉｄｅｏデータファイルを、作成された動画ストリームデータファイルをＶＯＢファイルとして、ページめくり表示制御プログラムのデータをＩＦＯファイルとして組み込む形で作成するＤＶＤ−ｖｉｄｅｏデータファイル作成手段と、
作成されたＤＶＤ−ｖｉｄｅｏデータファイルをＤＶＤメディアに書き込むＤＶＤ書込手段と、して機能させるものである。
【０００８】
さらに、本発明の記録媒体は、上記本発明のコンピュータプログラムがコンピュータ読み取り可能に格納されたものである。
【０００９】
上記本発明によると、冊子型コンテンツの各ページを表示するためのページ画像データを用いて、見開きフレームとページめくりフレーム群とからなる動画ストリームデータファイルを作成する。また、指定された表示ページに対応する見開きフレームを静止画表示しつつ、めくり指令情報を取得するに伴ないページめくりフレーム群を再生し、次の見開きページを静止画表示するように、動画ストリームデータファイルの再生制御するページめくり表示制御プログラムを取得する（例えば、装置内の記憶装置に該プログラムのソースコードを記憶しておき、これを読み出す形で取得してもよいし、通信によりダウンロードする形で取得することも可能である）。そして、作成された動画ストリームデータファイルをＶＯＢファイルとして、ページめくり表示制御プログラムのデータをＩＦＯファイルとして組み込む形で、ＤＶＤ−ｖｉｄｅｏデータファイルを作成する。作成されたＤＶＤ−ｖｉｄｅｏデータファイルをＤＶＤメディアに書き込むことで、冊子型コンテンツの閲覧が可能なＤＶＤ−ｖｉｄｅｏディスクを簡単に得ることができる。ＤＶＤ−Ｖｉｄｅｏ（ディー  ブイ  ディー  ビデオ）とは、ＤＶＤフォーラムにより制定された、ＤＶＤに複数の映像、音声、字幕を記録する公知のアプリケーションフォーマット（規格）であり、上記のように作成されたＤＶＤ−ｖｉｄｅｏディスクは、一般のＤＶＤ−ｖｉｄｅｏディスクが再生できる装置であれば、他のＤＶＤ−ｖｉｄｅｏディスクと全く同様に再生が可能であり、新たなソフトウェアを何ら追加することなく即時に冊子型コンテンツを表示・閲覧することができる。
【００１０】
動画ストリームデータファイル作成手段は動画ストリームデータファイルは、複数の見開きフレームと複数のページめくりフレーム群とを交互に配列したものとして作成できる。ページめくり表示制御プログラムは、動画ストリームデータファイルのＤＶＤ再生装置における再生処理を、指定された表示ページに対応する見開き画像フレームにて動画ストリームデータファイルの再生を一時停止保持するとともに、めくり指令情報を取得するに伴ない、現在表示中の見開きページに対応する現在見開き画像フレームでの一時停止保持状態を解除させ、次見開き画像フレームまでページめくりフレーム群の再生を継続させた後、当該次見開き画像フレームにて再度一時停止保持させる形で制御するものとして用意できる。この場合、動画ストリームデータファイルは該ＤＶＤ−ｖｉｄｅｏデータにおいてＶＴＳファイル群にＶＯＢファイルとして組み込み、記ページめくり表示制御プログラムデータはＶＴＳファイル群にＩＦＯファイルとして組み込むことができる。
【００１１】
これにより、動画ストリームデータファイルの１フレームをなす見開き画像フレームにて動画再生を一時停止させることで、冊子型コンテンツの該等ページの内容を問題なく表示できる。そして、ページめくり時にはその一時停止を解除して、該見開き画像フレームの続きをなす動画フレーム（ページめくりフレーム群）を次の見開き画像フレームまで再生することで、立体ページめくりアニメーションを表示できる。ページめくりアニメーションは、従来のようにその都度コマが作成されるのではなく、動画ストリームデータの中にフレームとして組み込まれる形で予め用意されているので、データ処理量を大幅に削減でき、しかも、１本の動画ストリーム再生の一時停止／再開を繰り返す極めて単純な制御流れにて、ページめくりアニメーションを伴なう冊子型コンテンツの閲覧表示が可能となる。
【００１２】
ページめくり表示制御プログラムは、冊子型コンテンツの現在表示中の見開きページから、ページ配列における順方向への次見開きページへのめくり指令情報である順方向めくり指令情報と、逆方向への次見開きページへのめくり指令情報である逆方向ページめくり指令情報との双方を取得可能であり、順方向めくり指令情報が取得された場合に動画ストリーム再生手段に対し該順方向に位置するページめくりフレーム群の順方向再生を行なわせ、逆方向めくり指令情報が取得された場合に動画ストリーム再生手段に対し該逆方向に位置するページめくりフレーム群の逆方向再生を行なわせる形で制御するものとして用意できる。これによると、同じ動画ストリームデータファイルの順方向再生と逆方向再生とを使い分けることにより双方向のページめくり表示処理を実施でき、逆方向ページめくりのための動画ストリームデータファイルを別途用意する必要がなくなる。
【００１３】
次に、本発明により作成されるＤＶＤ−ｖｉｄｅｏディスクにより実現される冊子型コンテンツ表示装置は、表示装置の画面上に、冊子型コンテンツを見開き表示するためのコンテンツ表示領域と、該冊子型コンテンツの順方向めくり操作受付領域と逆方向めくり操作受付領域とを設定するコンテンツ表示制御手段と、画面上にて、順方向めくり操作受付領域と逆方向めくり操作受付領域とのいずれかを選択するめくり操作受付領域選択入力するためのめくり操作受付領域選択入力手段と、順方向めくり操作受付領域が選択された場合に順方向めくり指令情報を、逆方向めくり操作受付領域が選択された場合に逆方向をそれぞれ出力するめくり指令情報出力手段とを備えるものとすることができる。操作受付領域は、操作受付領域選択入力手段（例えば、マウス等のポインティングデバイス）により選択可能な操作ボタンとしてもよいし、冊子型コンテンツの見開き表示されるページ領域としてもよい。操作受付領域の選択により順方向ないし逆方向のページめくり方向を直感的に決定でき、めくり指令情報出力手段により出力されるいずれかの向きのめくり指令情報がめくり指令情報取得手段により取得されることで、動画ストリーム再生制御手段によるページめくりのための動画ストリームデータファイルの再生制御にスムーズに受け渡すことができる。
【００１４】
また、該冊子型コンテンツ表示装置には、表示装置の画面上に動画ストリームデータファイルの再生にかかるタイムバーを、現在再生中のフレーム位置を該タイムバー上にて示すタイムカーソルとともに表示するタイムバー表示手段と、タイムカーソルをタイムバー上にてスライド操作するためのタイムカーソル操作入力手段とを設けることができる。動画ストリーム再生制御手段は、タイムカーソルがタイムバー上をスライドするに伴ない、該タイムバー上にてタイムカーソルが掃引する区間に対応するフレーム群を動画ストリームデータファイルから順次読み出してコマ送り再生するコマ送り再生手段を含むものとして構成できる。このようにすると、動画再生用の周知のタイムバー上でカーソルをスライド操作することで、あたかも冊子の紙片をぱらぱらとめくるような感覚でページめくりアニメーションが連続的に再生され、閲覧したい目的ページを速やかに探し当てることができる。この場合、カーソルの停止保持可能な位置を見開きフレームのみに限定しておけば、素早くスライド操作を行なった場合も見開きフレームの位置にカーソルが引き込まれ、ページめくり途中の状態で画像が静止する不具合を防止することができる。
【００１５】
さらに、該冊子型コンテンツ表示装置には、動画ストリームデータファイルの早送り再生を指令するための早送り指令入力手段と、該早送り再生の解除を指令するための早送り解除指令入力手段とを設けることができる。動画ストリーム再生制御手段は、早送り再生の指令がない場合は、動画ストリームデータファイルを見開きフレームで一時停止させつつ再生する通常モードにより、早送り再生の指令があった場合は、動画ストリームデータファイルを見開きフレームで一時停止させることなく連続再生する早送りモードにより動画ストリームデータファイルを再生制御するとともに、早送り再生の解除が指令された場合は早送りモードから通常モードに復帰させる早送り再生制御手段を含むものとして構成できる。すなわち、動画再生の周知の早送り機構を用いることにより、目的ページを探したりする際に有効な連続ページめくり表示を簡単に実現することができる。
【００１６】
ページめくり表示制御プログラムは立体ページめくりアニメーションを、
冊子型コンテンツの現在の見開き表示状態を形成する１対のページ紙片の一方を主ページ紙片とし、他方を補ページ紙片とし、該補ページ紙片の現在表示中のページを第一ページとし、主ページ紙片の現在表示中のページを第二ページとし、該主ページ紙片の裏面を構成するページを第三ページとし、第三ページと対をなしてページめくり後の見開き状態を形成する主ページ紙片の下層ページを第四ページとし、該主ページ紙片の紙片幅方向における綴じ合わせ側の縁をページ内縁とし、これと反対側の縁をページ外縁として、現在の見開き表示状態から第三ページと第四ページとからなるページめくり後の見開き表示状態へ切り替えるに際し、ページ内縁をめくり軸線として主ページ紙片を第四ページの紙面から浮き上がらせつつ第一ページ上へめくり転回させるとともに、アニメーションの各コマの主ページ紙片の立体形状を、それぞれ裏ページ側が常時隠蔽されるようにページ外縁をページ内縁と平行に維持しつつ、常に表ページ側が凹となるように湾曲させた形状となるように規定するページ形状規定情報を取得し、ページ画像データに基づく第二ページ又は第三ページの表示画像を、取得されたページ形状規定情報に基づいて生成される各コマの主ページ紙片の見開き側ページ面に立体投影することによりページめくりコマデータを作成するものとして用意できる。
【００１７】
上記のページめくり表示制御プログラムでは、立体ページめくりアニメーションに各コマを、めくり対象となる主ページ紙片の立体画像が、裏ページ側が常時隠蔽されるようにページ外縁をページ内縁と平行に維持しつつ、常に表ページ側が凹となるように湾曲させた形状となるように作成する。これにより、先行技術の前述の課題は、以下のようにことごとく解決できる。
（１）ページ紙片のページ外縁が綴じ合わせ側のページ内縁に対して傾かず、常に平行な状態でめくり転回されるので、ページ紙片にページ画像を三次元投影する際に、ページ画像の変換処理は、ページ幅方向への伸縮変換成分とページ内縁に沿った向きへの平行移動変換成分とだけを含むものとなり、回転変換成分を生じない。従って、三次元投影変換の演算量を大幅に減じることができ、一般用途向けのマイコンスペックでもページめくり動作を十分スムーズに再現できる。
（２）ページ紙片のページ外縁位置は裏ページ側が常時隠蔽されるように調整されるので、１つのコマにはページ紙片の常に表側（見開き側）の画像のみが表れることとなり、裏面側の画像を考慮する必要がなくなるので、画像処理負担が大幅に軽減される。
（３）各コマにおいてページ紙片は、常に表ページ側が凹となるように湾曲させた形状となる。つまり、ページのめくり転回方向にて、転回中間位置を境にめくり開始側（第四ページ側）とめくり完了側（第一ページ側）とでページ紙片の湾曲方向が反転するので、紙のしなりの表現品質が向上する。
【００１８】
上記のページ形状規定情報は、各コマにおいて主ページ紙片の少なくともページ外縁を含む部分が、当該ページ外縁において非めくり状態でのページ面である基準ページ面（つまり、主ページ紙片がめくり開始側にあるコマでは第四ページ、めくり完了側にあるコマでは第一ページ）と直交する接平面を有する曲面部分となるように、各コマの主ページ紙片の立体形状を規定するように構成できる。このようにすると、主ページ紙片が転回中間位置に近く位置するコマほどページ外縁への接平面とページ内縁との距離が縮まり、ページ紙片の湾曲量が減じられる。すなわち、主ページ紙片は、第二ページ側を凹とする形でめくり開始側から湾曲量を減少させつつ転回中間位置に至り、次いで第三ページ側が凹となるように湾曲方向を切り替えてめくり完了側へ移行し、その後湾曲量を増加させながら転回中間位置から遠ざかるようにアニメーション表示される。これにより、ページめくりに際した紙のしなりのリアリティが向上する。
【００１９】
ページ形状規定情報は、主ページ紙片のページ外縁から紙片幅方向にて所定長離間した位置に、非めくり状態でのページ面である基準ページ面からめくれ上がった曲面部分と基準ページ面に重なった平面部分との境界線がページ内縁と平行に生じるとともに、基準ページ面からの主ページ紙片のめくれ上がり高さが増えるにつれ、上記境界線がページ内縁側に接近するように、各コマの主ページ紙片の立体形状を規定するものとして構成できる。これにより、主ページ紙片は、基準ページ面（第四ページ）に対しページ外縁側から徐々にめくれ上がり、その後、転回中間位置を経て基準ページ面（第一ページ）に対しページ内縁側から徐々に重なるようにアニメーション表示される。これにより、主ページ紙片がめくりに伴ない第四ページに対し外縁側からふわりと浮き上がり、ページが返った後は第一ページに対し内縁側から順次静かに重なるので、柔軟な紙のしなり感をより忠実に再現できる。
【００２０】
ページ形状規定情報は、主ページ紙片の平面部分が、境界線における曲面部分への接平面となるように各コマの主ページ紙片の立体形状を規定するものとして構成することができる。これにより、基準ページ面からめくれ上がった曲面部分と基準ページ面に重なった平面部分とが滑らかに接続するので、ページめくりに際して主ページ紙片に不自然な折り目が生ずることがない。
【００２１】
上記の形態にて、めくれ上がった曲面部分は、ページ外縁においては基準ページ面と直交する平面に接し、境界線では基準ページ面と接する形となる。このように、互いに直交する平面の双方に接する曲面形態としては楕円筒面を採用することも可能であるが、幾何学的な演算の容易性を考慮すれば円筒面とすることが望ましい。この場合、ページ形状規定情報は、曲面部分が、ページ内縁と直交する平面による断面にて、見開き状態に展開したときの境界線からページ外縁に到る距離と等しい円弧長を有する四分円を形成する円筒面部分となるように規定するものとして構成できる。特に、主ページ紙片が、基準ページ面（第四ページ）に対しページ外縁側から徐々にめくれ上がり、その後、転回中間位置を経て基準ページ面（第一ページ）に対しページ内縁側から徐々に重なるようにアニメーション表示する構成を採用する場合も、基準ページ面からの主ページ紙片のめくれ上がり高さが増えるにつれ、境界線をページ内縁側に接近させつつ曲面部分を規定する四分円の半径が順次増加するように、各コマの主ページ紙片の形状を規定すればよく、主ページ紙片の形状演算を大幅に簡略化することができる。
【００２２】
次に、湾曲した（つまり、しなった）主ページ紙片は、その全体を基準ページ面から浮き上がらせるようにアニメーション表示することも可能である。この場合、ページ形状規定情報は、各コマにおいて主ページ紙片の全体が、当該ページ外縁において基準ページ面と直交する接平面を有し、かつページ内縁を包含する円筒面部分となるように、各コマの主ページ紙片の立体形状を規定するものとして構成すれば、主ページ紙片の形状演算を大幅に簡略化することができる。また、基準ページ面からの主ページ紙片のめくれ上がり高さが増えるにつれ、円筒面部分の曲率半径が増大するように各コマの主ページ紙片の立体形状を規定するものとして構成すれば、転回中間位置に近づくほど主ページ紙片の湾曲量が減少するので、ページめくりに際した紙のしなりのリアリティが向上する。
【００２３】
ページ形状規定情報は、基準ページ面からの主ページ紙片のめくれ上がり高さが該基準ページ面側の第一の区間となるコマ列については、主ページ紙片のページ外縁から紙片幅方向にて所定長離間した位置に基準ページ面からめくれ上がった曲面部分と基準ページ面に重なった平面部分との境界線がページ内縁と平行に生じるとともに、基準ページ面からの主ページ紙片のめくれ上がり高さが増えるにつれ、境界線がページ内縁側に接近するように各コマの主ページ紙片の立体形状を規定するものとし（以下、第一めくり形態という）、めくれ上がり高さが第一の区間よりも大きい第二の区間となるコマ列については、各コマにおいて主ページ紙片の全体が、当該ページ外縁において基準ページ面と直交する接平面を有するとともにページ内縁を包含する円筒面部分となり、かつ、基準ページ面からの主ページ紙片のめくれ上がり高さが増えるにつれ、円筒面部分の曲率半径が増大するように各コマの主ページ紙片の立体形状を規定するものとなるように（以下、第二めくり形態という）、構成することができる。
【００２４】
この構成によると、主ページ紙片は、第一めくり形態により、基準ページ面（第四ページ）に対しページ外縁側から徐々にめくれ上がり、前述の境界線がページ内縁に到達しためくり位置（つまり、基準ページ面が主ページ紙片に対するページ内縁位置での接平面となった位置：以下、めくり形態切替位置という）で第二めくり形態に引継がれ、主ページ紙片の全体を円筒面部分とする形で湾曲量を減少させながら転回中間位置に到達する。そして、その後は湾曲方向を逆転させ、再び湾曲量を増加させつつ反対側のめくり形態切替位置に達すると第一めくり形態に戻り、基準ページ面（第一ページ）に対しページ内縁側から徐々に重なるようにしてページめくりアニメーションが完了する。２つのめくり形態を組み合わせることで、めくり開始からめくり完了までの全区間に渡って、紙のしなりを伴なうページめくりアニメーションを滑らかで精緻に実現することができる。
【図面の簡単な説明】
【００２５】
【図１】本発明の冊子型コンテンツ表示用ＤＶＤ−ｖｉｄｅｏディスク作成装置の電気的構成の一例を示すブロック図。
【図２】図１の装置のメニュー画面表示例を示す図。
【図３】ページめくりアニメーションの一例を示す図。
【図４】図３のページめくりアニメーションの各コマにおける主ページ紙片の断面形状変化の流れを示す説明図。
【図５】各コマのピクセル変換テーブルの概念図。
【図６】ピクセル変換テーブルの内容を説明する概念図。
【図７】第一めくり形態における主ページ紙片の断面形状を決定する作図原理を示す説明図。
【図８】第一めくり形態における各コマの主ページ紙片の断面形状計算例を示す説明図。
【図９】第二めくり形態における主ページ紙片の断面形状を決定する作図原理を示す説明図。
【図１０】第二めくり形態における各コマの主ページ紙片の断面形状計算例を示す説明図。
【図１１】子型コンテンツ表示システムの電気的構成の一例を示すブロック図。
【図１２】図１の冊子型コンテンツ表示システムを、市販のＤＶＤプレーヤを流用して構成した場合の外観の一例を示す図。
【図１３】冊子型コンテンツを表示するための動画ストリームデータの構成を、逐次的にページめくりしたときの動画再生の流れとともに説明する図。
【図１４】本発明の冊子型コンテンツ表示用ＤＶＤ−ｖｉｄｅｏディスクが採用する、ＤＶＤ−ｖｉｄｅｏフォーマットのデータフォルダ構成を示す説明図。
【図１５】図２の冊子型コンテンツ表示システムにおけるコンテンツ表示例の第一を示す図。
【図１６】本発明の冊子型コンテンツ表示用ＤＶＤ−ｖｉｄｅｏディスクを再生したときのメニュー画面の第一表示例を示す説明図。
【図１７】本発明の冊子型コンテンツ表示用ＤＶＤ−ｖｉｄｅｏディスクを再生したときのメニュー画面の第二表示例を示す説明図。
【図１８】ＶＯＢファイルのデータ構造の一例を示す説明図。
【図１９】図１２のＤＶＤプレーヤを操作するためのリモコンの一例を示す図。
【図２０】図１２の冊子型コンテンツ表示システムにおけるコンテンツ表示例の第二を示す図。
【図２１】順方向ページめくりアニメーションの表示流れを示す説明図。
【図２２】逆方向ページめくりアニメーションの表示流れを示す説明図。
【図２３】冊子型コンテンツを、タイムバーカーソルにより連続的にページめくりしたときの動画再生の流れを説明する図。
【図２４】コンテンツ動画作成処理のメニュー画面の表示例を示す図。
【図２５】ＤＶＤ作成処理のメニュー画面の表示例を示す図。
【図２６】冊子型コンテンツ表示用ＤＶＤ−ｖｉｄｅｏディスクのタイトルメニューにかかるフォーマット選択画面の例を示す図。
【図２７】オーサリングソフトウェアの主処理の流れを示すフローチャート。
【図２８】同じくページ画像取り込み処理の詳細を示すフローチャート。
【図２９】同じく動画ストリーム処理の詳細を示すフローチャート。
【図３０】図２９のコマ作成処理の流れを示すフローチャート。
【図３１】オーサリングソフトウェアのＤＶＤ作成処理の流れを示すフローチャート。
【図３２】ページめくり表示制御プログラムの流れを示すフローチャート。
【発明を実施するための形態】
【００２６】
以下、本発明の実施の形態を、添付の図面を参照して説明する。
図１は、本発明冊子型コンテンツ表示用ＤＶＤ−ｖｉｄｅｏディスク作成装置１の電気的構成を示すブロック図である。装置１の制御主体は、ＣＰＵ１０１、ＲＯＭ１０２、ＲＡＭ１０３及び入出力部１０４を内部バスにより接続したマイコン１００からなる。また、内部バスにはインターネットルータ５が接続され、該インターネットルータ５を介してインターネット通信網が接続されている。入出力部１０４には、コンテンツ表示装置をなすモニタ２、スピーカ３、及びページめくり等の閲覧入力操作を行なうための操作部をなすマウス４が接続されている。なお、タッチパネル９やキーボード１０あるいはトラックパッドなどを操作部として設けてもよい。
【００２７】
マイコン１００にはハードディスクドライブ（ＨＤＤ）６が接続され、ＯＳ（オペレーティングシステム：例えばWindows（商標名）やMac OS（商標名）など）、インターネットブラウザ（例えばInternet Explorer（商標名）など）、及び冊子型コンテンツを収録したＤＶＤ−ｖｉｄｅｏディスク、すなわち、冊子型コンテンツ表示用ＤＶＤ−ｖｉｄｅｏディスクを作成するためのオーサリングソフトウェア（コンピュータプログラム）が格納されている。また、ＤＶＤ／ＣＤドライブ７と、メモリカードリーダ８とが各々インターフェースＩ／Ｆを介してマイコン１００に接続されている）。
【００２８】
ハードディスクドライブ６は起動ディスクとして定められ、マイコン１００を立ち上げると、ＲＡＭ１０３のＯＳ実行メモリ１０３ａを作業領域としてＯＳが起動する。そして、さらにそのＯＳ上にて動作するインターネットブラウザソフトを立ち上げることにより、インターネットへの接続が可能となる。ＲＡＭ１０３には、該ブラウザソフトの作業領域となるブラウザ実行メモリ１０３ｃと、インターネットルータ５を介した通信制御を行なうための通信制御メモリ１０３ｂとが形成されている。
【００２９】
また、オーサリングソフトウェアは、これを記録したＣＤ−ＲＯＭやＤＶＤなどの記録媒体７７からＣＤ／ＤＶＤドライブ７を介して読み取られ、ハードディスクドライブ６にインストールされる。これにより、マイコン１００（コンピュータ）は、冊子型コンテンツ表示用ＤＶＤ−ｖｉｄｅｏディスク作成装置を構成する次の各手段として機能することが可能となる。
・ページ画像データ取得手段：冊子型コンテンツの各ページを表示するためのページ画像データを取得する。ページ画像データは、例えばメモリスティック等の半導体記憶媒体から媒体読取装置（メモリカードリーダ）８を介して読み取る形で取得可能である。また、ＣＤ／ＤＶＤドライブ７から、ＣＤ−ＲＯＭやＤＶＤなどの記録媒体からＣＤ／ＤＶＤドライブ７を介して読み取る形で取得したり、あるいはインターネットを介してダウンロードする形で取得したりすることも可能である。
【００３０】
・動画ストリームデータファイル作成手段：取得したページ画像データに基づいて、冊子型コンテンツのページめくり順に配列する、個々のページを見開き状態で表示する複数の見開きフレームと、ページめくり順において互いに隣接する一方の見開きページ状態から他方の見開きページ状態へ遷移するための立体ページめくりアニメーションを表示するページめくりフレーム群とからなる動画ストリームデータファイルを作成する。
【００３１】
・ページめくり表示制御プログラム取得手段：冊子型コンテンツを表示装置に表示するための動画ストリームデータファイルのＤＶＤ再生装置における再生処理を、指定された表示ページに対応する見開きフレームを静止画表示する一方、冊子型コンテンツの表示装置に現在表示中の見開きページから次の見開きページへのめくり指令情報を取得するに伴ない、動画ストリームデータファイルに含まれる、次の見開きページに遷移するためのページめくりフレーム群を再生し、その後次の見開きページを静止画表示する形で制御するためのページめくり表示制御プログラムのデータを取得する。このページめくり表示制御プログラムは、オーサリングソフトに付随する形で、該オーサリングソフトのプログラムデータとともにハードディスクドライブ６に格納することができ、オーサリングソフト側からの要請に応じて適宜ハードディスクドライブ６から読み出す形で取得できる。
【００３２】
・ＤＶＤ−ｖｉｄｅｏデータファイル作成手段：ＤＶＤ−ｖｉｄｅｏデータファイルを、作成されたる動画ストリームデータファイルをＶＯＢファイルとして、ページめくり表示制御プログラムのデータＩＦＯファイルとして組み込む形で作成する。
・ＤＶＤ書込手段：作成されたＤＶＤ−ｖｉｄｅｏデータファイルをＤＶＤメディアに書き込む。ＣＤ／ＤＶＤドライブ７をデータ書込装置として使用する。
【００３３】
前述のオーサリングソフトはＲＡＭ１０３内のオーサリングソフト実行メモリ１０３ｄを作業領域として使用する。オーサリングソフト実行メモリ１０３ｄには、取得したページ画像データ（例えば、文字列とグラフィック（静止画及び動画）とを含む）と、そのページ画像データを用いてページめくりアニメーションの各コマを演算生成するコマ演算生成プログラムとを格納するメモリ領域１０３ｅ及び１０３ｆが形成されている。オーサリングソフトを立ち上げると、図２に示すように、モニタ２の画面にメニュー画面が表示される。ソフトウェアは３つのメニューからなる。
・ページ画像取り込み処理：ページ画像データを取得してページ順に配列し、コンテンツ作成素材データファイルとして保存する。
・コンテンツ動画作成処理：保存されているコンテンツ作成素材データファイルを選択し、ファイル内のページ画像データを用いて動画ストリームデータファイルを作成し、保存する。
・ＤＶＤ作成処理：ＤＶＤに収録したい動画ストリームデータファイルを選択し、ページめくり表示制御プログラムを添付してＤＶＤ−ｖｉｄｅｏフォーマットにて書き込み、ＤＶＤ−ｖｉｄｅｏディスクを作成する。
【００３４】
図３は、本実施形態にて採用するページめくりアニメーションの形態例を示すものである。この実施形態では、横書き左開きの冊子を例に取り、左めくり方向が次ページめくり方向、右めくり方向が前ページめくり方向である。従って、図中、左から右へ進む流れが次ページめくりの場合の流れを、右から左へ進む場合が前ページめくりの場合の流れとなる。
【００３５】
次ページめくり時の場合は、めくり対象紙片である主ページ紙片６１Ｍは見開き状態で冊子右ページを構成し、補ページ紙片６１Ｃは左ページを構成する。補ページ紙片６１Ｃの現在表示中のページを第一ページ５１Ｌとし（後述の処理流れの説明都合上、ページ番号をｊ−１とする）、主ページ紙片６１Ｍの現在表示中のページを第二ページ５１Ｒとし（同じく、ページ番号をｊとする）、該主ページ紙片６１Ｍの裏面を構成するページを第三ページ５１Ｌ’とし（同じく、ページ番号をｊ＋１とする）、第三ページ５１Ｌ’と対をなしてページめくり後の見開き状態を形成する主ページ紙片６１Ｍの下層ページを第四ページ５１Ｒ’とし（同じく、ページ番号をｊ＋２とする）、該主ページ紙片６１Ｍの紙片幅方向における綴じ合わせ側の縁をページ内縁６１Ｊとし、これと反対側の縁をページ外縁６１Ｅとする。
【００３６】
他方、前ページめくり時の場合は、図３の右端の状態にて、めくり対象紙片である主ページ紙片６１Ｍは見開き状態で冊子左ページを構成し、左ページを構成する紙片６１Ｃ’が補ページ紙片を構成する。補ページ紙片６１Ｃ’の現在表示中のページ５１Ｒ’が第一ページとなり（この場合は、図示のページ番号ｊ＋２をｊ−１と読み替える）、主ページ紙片６１Ｍの現在表示中のページ５１Ｌ’が第二ページとなり（同じく、図示のページ番号ｊ＋１をｊと読み替える）、該主ページ紙片６１Ｍの裏面を構成するページ５１Ｒが第三ページとなり（同じく、図示のページ番号ｊをｊ＋１と読み替える）、第三ページ５１Ｒと対をなしてページめくり後の見開き状態を形成する主ページ紙片６１Ｍの下層ページ５１Ｌが第四ページとなる（同じく、図示のページ番号ｊ−１をｊ＋２と読み替える）。なお、いうまでもなく、縦書き右開き冊子では各紙片の配置及びめくり方向の定義は全て上記の逆となる。以下、横書き左開き冊子における次ページめくり時の場合で代表させて説明を行なう。
【００３７】
すなわち、図３の左端の状態を現在の見開き表示状態として次ページめくりコマンドを実行すると、ページ内縁６１Ｊをめくり軸線として主ページ紙片６１Ｍを第四ページ５１Ｒ’の紙面から浮き上がらせつつ第一ページ５１Ｌ上へめくり転回させる立体ページめくりアニメーションが表示され、図３の右端に示す、第三ページ５１Ｌ’と第四ページ５１Ｒ’とからなるページめくり後の見開き表示状態へ切り替わる。なお、非めくり状態でのページ面（図３左端の状態では第一ページ５１Ｌ及び第二ページ５１Ｒ、図３右端の状態では第三ページ５１Ｌ’及び第四ページ５１Ｒ’）を基準ページ面として、三次元表示のための内部座標空間のｚ方向を該基準ページ面の法線方向に定め、さらに、該基準ページ面上にてページ内縁６１Ｊと平行にｙ方向を、同じくページ内縁６１Ｊと直角にｘ方向をそれぞれ定める。
【００３８】
図４は、立体ページめくりアニメーションの各コマにおける主ページ紙片６１Ｍの湾曲形状をｚ方向視にて示すものである。主ページ紙片６１Ｍの各コマでの形状を規定するページ形状規定情報は、コンテンツデータに含まれるコマ演算生成プログラム１０３ｆ（図１）中にコマ別に組み込まれている（具体的には、図５に示すピクセル変換テーブル）。他方、各ページの表示内容はページ画像データ１０３ｅ（図１）として用意されている。
【００３９】
各コマの主ページ紙片６１Ｍの立体形状は、具体的には上記のページ形状規定情報により、それぞれ裏ページ側が常時隠蔽されるようにページ外縁６１Ｅをページ内縁６１Ｊと平行に維持しつつ、常に表ページ側が凹となるように湾曲させた形状となるように規定される。このことは、図４に示すごとく、幾何学的には、各コマ（Ｆ１，Ｆ２，‥，Ｆ２３）において主ページ紙片６１Ｍが、ページのめくり転回方向にて、転回中間位置（Ｆ１２）を境にめくり開始側（第四ページ５１Ｒ’側）とめくり完了側（第一ページ５１Ｌ側）とで湾曲方向が反転することを意味する。そして、めくり開始側に位置するコマ（Ｆ１，Ｆ２，‥，Ｆ１１）では第二ページ５１Ｒの表示画像が、めくり完了側に位置するコマ（Ｆ１３，Ｆ１４，‥，Ｆ２３）では第三ページ５１Ｌ’の表示画像が、対応するページ画像データ１０３ｅ（図１）に基づいて、各コマの主ページ紙片６１Ｍの見開き側ページ面（つまり、湾曲凹面となる側）に立体投影する形で表示される。
【００４０】
図７あるいは図９に示すように、各コマにおいて主ページ紙片６１Ｍのページ外縁６１Ｅを含む部分は、当該ページ外縁６１Ｅにおいて非めくり状態でのページ面である基準ページ面（つまり、主ページ紙片６１Ｍがめくり開始側にあるコマでは第四ページ５１Ｒ’、めくり完了側にあるコマでは第一ページ５１Ｌ）と直交する接平面７２を有する曲面部分６１ｒとなるように立体形状が規定されている。図４に示すように、主ページ紙片６１Ｍが転回中間位置（Ｆ１２）に近く位置するコマほどページ外縁６１Ｅへの接平面とページ内縁６１Ｊとの距離が縮まり、ページ紙片の湾曲量が減じられる。また、転回中間位置（Ｆ１２）のコマでは湾曲量はゼロとなり、主ページ紙片６１Ｍの形状は平面状となる。
【００４１】
図４にて、めくり開始側のコマＦ１〜Ｆ５とめくり完了側のコマＦ１９〜Ｆ２３では、図７に示すように、主ページ紙片６１Ｍのページ外縁６１Ｅから紙片幅方向にて所定長離間した位置に、非めくり状態でのページ面である基準ページ面５１Ｒ’からめくれ上がった曲面部分６１rと基準ページ面に重なった平面部分６１ｐとの境界線６１Ｂがページ内縁６１Ｊと平行に生じるように主ページ紙片６１Ｍの立体形状が規定されている。基準ページ面５１Ｒ’からの主ページ紙片６１Ｍのめくれ上がり高さが増えるにつれ、上記境界線６１Ｂがページ内縁６１Ｊ側に接近する（以下、第一めくり形態という）。具体的には、主ページ紙片６１Ｍの平面部分６１ｐが、境界線６１Ｂにおける曲面部分６１ｒへの接平面となるように形状規定されている。
【００４２】
すなわち、めくれ上がった曲面部分６１ｒは、ページ外縁６１Ｅにおいては基準ページ面と直交する平面に接し、境界線６１Ｂでは基準ページ面と接する形となる。この実施形態では、幾何学的な形状演算の容易性を考慮して曲面部分６１ｒを円筒面としてあり、具体的には、曲面部分６１ｒが、ページ内縁６１Ｊと直交する平面による断面にて、見開き状態に展開したときの境界線６１Ｂからページ外縁６１Ｅに到る距離と等しい円弧長を有する四分円を形成する円筒面部分となっている。図４に示すように、上記各コマでは、基準ページ面からの主ページ紙片６１Ｍのめくれ上がり高さが増えるにつれ、境界線６１Ｂをページ内縁６１Ｊ側に接近させつつ曲面部分６１ｒを規定する四分円の半径ｒが順次増加する。
【００４３】
次に、転回中間位置（Ｆ１２）を含む中間のコマ列Ｆ６〜Ｆ１８では、湾曲した（つまり、しなった）主ページ紙片６１Ｍの全体が基準ページ面（５１Ｌ，５１Ｒ’）から浮き上がるように表示される。具体的には、図９に示すように、それら各コマにおいて主ページ紙片６１Ｍの全体が、当該ページ外縁６１Ｅにおいて基準ページ面と直交する接平面７２を有し、かつページ内縁６１Ｊを包含する円筒面部分となるように立体形状を規定されている（第二めくり形態）。基準ページ面からの主ページ紙片６１Ｍのめくれ上がり高さが増えるにつれ、上記円筒面部分の曲率半径Ｒは増大する。図４に示すように、転回中間位置（Ｆ１２）に近づくほど主ページ紙片６１Ｍの湾曲量は減少する。
【００４４】
このように、基準ページ面からの主ページ紙片６１Ｍのめくれ上がり高さが該基準ページ面側の第一の区間となるコマ列（Ｆ１〜Ｆ５及びＦ１９〜Ｆ２３）については第一めくり形態となり、めくれ上がり高さが第一の区間よりも大きい第二の区間となるコマ列（Ｆ６〜Ｆ１８）ついては以下、第二めくり形態となるようにページめくりアニメーションが表示される。ずなわち、主ページ紙片６１Ｍは、第一めくり形態により、基準ページ面（第四ページ５１Ｒ’）に対しページ外縁６１Ｅ側から徐々にめくれ上がり、前述の境界線６１Ｂがページ内縁６１Ｊに到達しためくり形態切替位置（Ｆ６）で第二めくり形態に引継がれ、主ページ紙片６１Ｍの全体を円筒面部分とする形で湾曲量を減少させながら転回中間位置（Ｆ１２）に到達する。そして、その後は湾曲方向を逆転させ、再び湾曲量を増加させつつ反対側のめくり形態切替位置（Ｆ１８）に達すると第一めくり形態に戻り、基準ページ面（第一ページ５１Ｒ’）に対しページ内縁６１Ｊ側から徐々に重なるようにしてページめくりアニメーションが完了する。
【００４５】
第一めくり形態における各コマの主ページ紙片６１Ｍの形状（以下、第一種めくり投影面という）は次のようにして幾何学的に作図決定できる。すなわち、図７に示すように、主ページ紙片６１Ｍの幅（ｘ方向寸法）をｗとし、該主ページ紙片６１Ｍを平面に維持しつつページ内縁６１Ｊの周りに基準ページ面（５１Ｒ’）から角度θだけめくり転回したページ面を形状決定ページ面７０として定める。そして、その形状決定基準ページ面７０のページ基準面（５１Ｒ’）への正射投影（ｗ・ｃｏｓθ）を平面部分６１ｐと規定すれば、ページ幅の残長ｂは、
ｂ＝ｗ−ｗ・ｃｏｓθ  ‥（１）
にて計算される。該残長ｂが、半径ｒの四分円弧長と等しいので、
４ｂ＝２πｒ  ‥  （２）
従って、ｒは（１）、（２）から、
ｒ＝２ｗ（１−ｃｏｓθ）／π  ‥（３）
にて計算できる。形状決定ページ面７０のページ外縁位置から基準ページ面（５１Ｒ’）への垂線７１の足が境界線６１Ｂとなるので、上記垂線７１上にて境界線６１Ｂから距離ｒの位置に中心を定め、幅方向外側に描いた四分円が曲面部分６１ｒとなる。
【００４６】
図８は、形状決定ページ面のめくり転回角度θを、基準ページ面（５１Ｒ’）から直立するまでの９０゜の区間を６等分した１５゜間隔で変化させた場合の、各角度位置（θ１〜θ６）の形状決定ページ面（Ｌ１〜Ｌ６）と、それを用いた第一種めくり投影面（曲面部分ｂ１〜ｂ６：半径はｒ１〜ｒ６）の作図結果を示すものである。形状決定ページ面のめくり転回角度は９０゜（θ６）が最大であり、このとき境界線６１Ｂはページ内縁６１Ｊと一致して平面部分が消滅するとともに、曲面部分（ｂ６）はページ幅ｗと一致する円弧長を有する四分円となる。
【００４７】
次に、第二めくり形態における各コマの主ページ紙片６１Ｍの形状（以下、第二種めくり投影面という）も、以下のごとく幾何学的に作図決定できる。すなわち、図９に示すように、第一種めくり投影面と同様にめくり転回角度がθの形状決定ページ面７０を定める。第二種めくり投影面は、その全体が、ページ外縁６１Ｅにおける接平面７２が基準ページ面５１Ｒ’と直交するとともにページ内縁６１Ｊを通る部分円筒面となる。ページ外縁６１Ｅを通る半径Ｒは接平面７２と直交するので、基準ページ面５１Ｒ’とは平行になる。また、ページ内縁６１Ｊも同じ部分円筒面上にあるので、該部分円筒面の中心とページ内縁６１Ｊとを結ぶ線分７３は半径Ｒに等しくなる。該線分７３に関する平行線上の錯角の定理から、部分円筒面の中心角φ（ただし、角度の単位をラジアンとする）は、
φ＝π／２−θ  ‥（４）
であり、中心角と円弧長と幾何学的な関係から、
ｗ／２πＲ＝（π／２−θ）／２π  ‥（５）
従って、部分円筒面の半径Ｒは、
Ｒ＝２ｗ／（π―２θ）  ‥（５）’
となる。すなわち、ページ外縁６１Ｅを通り基準ページ面５１Ｒ’と平行な直線を引き、該直線上にてページ外縁６１Ｅから（５）’にて計算した距離Ｒの位置に中心を定めることで第二種めくり投影面を作図決定できる。
【００４８】
図１０は、形状決定ページ面のめくり転回角度θを、基準ページ面（５１Ｒ’）から直立するまでの９０゜の区間を６等分した１５゜間隔で変化させた場合の、各角度位置（θ１〜θ６）の形状決定ページ面（Ｌ１〜Ｌ６）と、それを用いた第二種めくり投影面（ｂ７〜ｂ１１：半径はＲ１〜Ｒ５、中心角はφ１〜φ５）の作図結果を示すものである。なお、形状決定ページ面のめくり転回角度が最大値９０゜になったとき半径Ｒは無限大となり、第二種めくり投影面はページ内縁６１Ｊを通って基準ページ面５１Ｒ’と直角な平面となる。
【００４９】
以上から、ページめくりアニメーションの各コマのめくり投影面は、例えば次の５つのステップを経て形状決定することができる。
（１）めくり開始側にて、形状決定ページ面のめくり転回角度θを９０゜まで変化させながら、第一種めくり投影面を決定する（図４：Ｆ１〜Ｆ６）。
（２）形状決定ページ面のめくり転回角度θをリセットし、再び９０゜（ただし、９０゜を含まず）まで変化させながら、第二種めくり投影面を決定する（図４：Ｆ７〜Ｆ１１）。
（３）めくり転回角度θ＝９０の場合に対応する第二種めくり投影面を平面として挿入する（ただし、画像投影できない面なので、このステップは省略することが可能である）。
（４）（２）で決定しためくり開始側の第二種めくり投影面を鏡映反転させることにより、めくり完了側の第二種めくり投影面を決定する（図４：Ｆ１３〜Ｆ１７）。
（５）（１）で決定しためくり開始側の第一種めくり投影面を鏡映反転させることにより、めくり完了側の第一種めくり投影面を決定する（図４：Ｆ１８〜Ｆ２３）。
【００５０】
全てのめくり投影面の形状が決定できれば、基準ページ面上のページ画像と、それをめくり投影面に投影した画像とのピクセル対応関係は、周知の三次元投影変換の概念を用いて一義的に決定できる。本発明では、主ページ紙片のページ外縁とページ内縁とが常に平行となるように各コマのめくり投影面が定められているので、投影後のピクセルは投影前のピクセルに対し、図３のｙ方向には配列が保存され、図８に示すように、ｘ方向にはページの湾曲形態に応じて不均等に収縮した配列となる。そこで、ピクセル変換テーブルとして、投影前ピクセル列を投影後のページ幅に合わせて不均等に間引くとともに、その投影前ピクセル列のピクセル番号を用いて間引き後のｘ方向ピクセル列、つまり、投影変換後のｘ方向ピクセル列を規定したものを用意しておけばよいことになる。ただし、本実施形態では、ページめくりの立体感を強調するために、図３に示すごとく、基準ページ面の法線からｙ方向に所定距離後退した視点にて主ページ紙片を鳥瞰した立体アニメーションが採用されており、各コマの投影後のｘ方向ピクセル列には上記視点後退に由来した湾曲を生ずる。そこで、ピクセル変換テーブルにおいては、ピクセル番号毎に、上記視点後退に由来した湾曲を与えるためのｙ方向シフト量が規定されている。
【００５１】
結局、図５に示すように、このピクセル変換テーブルをコマ別に用意しておくことで、図１のコマ演算生成ポログラム１０３ｆは、めくり投影面の決定演算をその都度行なう必要はなくなり、投影前のページ画像データを構成する各ピクセルを、コマ番号に対応したピクセル変換テーブルを参照して投影後の画像ピクセルに機械的に変換すれば、立体ページめくりアニメーションの各コマの、主ページ紙片の画像表示内容を容易に決定することができる。
【００５２】
上記のような立体ページめくりアニメーションの動画ストリームデータを収録した冊子型コンテンツ表示用ＤＶＤ−ｖｉｄｅｏディスクが、図１の装置を用いて図２のメニューに従い作成されるのであるが、その詳細を説明するに先立ち、該ＤＶＤ−ｖｉｄｅｏディスクの再生装置として構成される冊子型コンテンツ表示システムの内容について説明する。図１１は、該冊子型コンテンツ表示システム１の電気的構成を示すブロック図である。コンテンツ表示システム５０１は、汎用のＤＶＤ再生装置（ＤＶＤプレーヤ）として構成されている。図１２に示すように、冊子型コンテンツ５１の各ページの表示データを動画ストリームデータファイルとして記録したＤＶＤ−ｖｉｄｅｏディスク（冊子型コンテンツ表示用ＤＶＤ−ｖｉｄｅｏディスク）８０を装着して再生することにより、装置に接続されたテレビ装置ないしモニタからなる表示装置３０上でこれを表示・閲覧可能とするものである。
【００５３】
図１３に示すように、動画ストリームデータファイルＭＦＳは、冊子型コンテンツ５１のページめくり順に配列するとともに個々のページを見開き状態で表示する複数の見開き画像フレームＦＯＰ（‥，ＦＯＰｊ，ＦＯＰｊ＋１，ＦＯＰｊ＋２，ＦＯＰｊ＋３，‥）と、配列上にて互いに隣接する各見開き画像フレーム対（図では、（ＦＯＰｊ，ＦＯＰｊ＋１）、（ＦＯＰｊ＋１，ＦＯＰｊ＋２）、（ＦＯＰｊ＋２，ＦＯＰｊ＋３）、‥：以下、（ＦＯＰｊ，ＦＯＰｊ＋１）で代表させる）間に配置され、該見開き画像フレーム対ＦＯＰｊ，ＦＯＰｊ＋１にて表示される状態から他方の見開きページＦＯＰｊ＋１状態へ遷移するための立体ページめくりアニメーションを表示するページめくりフレーム群ＦＰＴ（‥，ＦＰＴｊ，ＦＰＴｊ＋１，ＦＰＴｊ＋２，ＦＰＴｊ＋３，‥）とからなる。
【００５４】
一方、ＤＶＤ再生装置５０１は、ＤＶＤ−ｖｉｄｅｏディスク８０に記録されている動画ストリームデータファイルＭＦＳの再生処理を実行することで、図１２に示すごとく、冊子型コンテンツ５１を表示装置３０に表示する。動画ストリームデータファイルＭＦＳは、ＤＶＤ−ｖｉｄｅｏフォーマットに規定されたコマンド群を用いてＤＶＤ−ｖｉｄｅｏディスク８０上にマクロ的に記述された再生制御プログラム、すなわち前述のページめくり表示制御プログラム（以下、単にプログラムともいう）をＤＶＤ再生装置１ａ側で解釈・実行することにより、当該プログラムの流れに従って制御される。従って、ＤＶＤ再生装置１ａには、後述のごとく、ＤＶＤ−ｖｉｄｅｏディスク８０に記録された圧縮動画ストリームデータファイルのデコード処理や、ディスク内のデータ構造及びプログラムコマンドの解釈と、個々のコマンドに対応するハードウェア制御モジュールを実行するためのソフトウェアないしハードウェアロジックが搭載されている。
【００５５】
上記のプログラムの記述内容は本発明の冊子型コンテンツ表示用ＤＶＤ−ｖｉｄｅｏディスク８０に特有のものであり、図１３において、動画ストリームデータファイルＭＦＳの再生を一時停止保持する見開き表示制御手段と、冊子型コンテンツ５１の表示装置３０に現在表示中の見開きページＦＯＰｊ＋１から、予め定められためくり方向に位置するへのめくり指令情報を取得するめくり指令情報取得手段と、めくり指令情報が取得されるに伴ない、に対応する現在見開き画像フレームＦＯＰｊ＋１での一時停止保持状態を解除させ、めくり方向におけるに対応する次見開き画像フレームＦＯＰｊ＋２までページめくりフレーム群ＦＰＴｊ＋２の再生を継続させた後、当該次見開き画像フレームＦＯＰｊ＋２にて再度一時停止保持させるページめくり制御手段の各構成手段を機能実現するものである。
【００５６】
前述のごとく、このプログラムは、一般のＤＶＤ−ｖｉｄｅｏディスク（例えば、映画やドラマなどのエンタテインメント映像を記録したディスクや、テレビ番組ないしホームビデオなどの録画映像を記録したディスク）に記録されているプログラムと同様に、ＤＶＤ−ｖｉｄｅｏフォーマットに規定されたコマンド群を用いて記述されている。従って、本発明の冊子型コンテンツ表示用ＤＶＤ−ｖｉｄｅｏディスク８０は、上記一般のＤＶＤ−ｖｉｄｅｏディスクと同様に、特に新たなアプリケーションソフトウェアやハードウェアの追加を行なわずとも、汎用（市販）のＤＶＤ再生装置１ａにて直ちに再生が可能なものである。
【００５７】
図１４に示すＤＶＤ−ｖｉｄｅｏディスク８０には、ＶＭＧ（Ｖｉｄｅｏ  Ｍａｎａｇｅｒ）ファイル群１８０ａとＶＴＳ（Ｖｉｄｅｏ  Ｔｉｔｌｅ  Ｓｅｔ）ファイル群１８０ｂとからなるＤＶＤ−ｖｉｄｅｏデータファイル８０ｄが記録されている。動画ストリームデータファイルＭＦＳは、ＶＴＳファイル群１８０ｂにＶＯＢファイルとして組み込むまれ（図１４においては、具体的には、ＶＴＳ＿０１＿１．ＶＯＢ）、プログラム（動画ストリーム再生制御手段に含まれる各構成手段の機能実現プログラムファイル）は、ＶＴＳファイル群１８０ｂにＩＦＯファイルとして組み込まれる（図１４においては、具体的には、ＶＴＳ＿０１＿０．ＩＦＯ）。
【００５８】
ＶＭＧファイル群１８０ａはディスク全体の制御に関与するものであり、
ＶＩＤＥＯ＿ＴＳ．ＩＦＯ
ＶＩＤＥＯ＿ＴＳ．ＶＯＢ
ＶＩＤＥＯ＿ＴＳ．ＢＵＰ
の３つのファイルを含む。また、ＶＴＳファイル群１８０ｂは、実際の映像などの実データや各タイトルの制御に関与するものであり、
ＶＴＳ＿＃＃＿＊．ＩＦＯ
ＶＴＳ＿＃＃＿＊．ＶＯＢ
ＶＴＳ＿＃＃＿＊．ＢＵＰ
の３種のファイルを含む（「＃＃」には０１〜９９まで、＊には０〜９（０はタイトル制御情報ファイル）までのファイルを割り振ることが可能である）。
【００５９】
各ファイルの識別子は次の意味を持つ。
ＩＦＯ：制御情報ファイルであることを意味し、音声、字幕の選択やチャプタ情報などが記述される（ナビゲーションデータともいう）。
ＶＯＢ：映像や音声、字幕など実際のデータが入っているファイルであることを意味する。具体的なデータ形式は、映像についてはＭＰＥＧ−２又はＭＰＥＧ−１であり、音声についてはＷＡＶＥまたはＡＣ３であり、字幕はＢＭＰである（プレゼンテーションデータともいう）。
ＢＵＰ：ＩＦＯファイルのバックアップファイルであることを意味する。ディスクの損傷などによりＩＦＯファイルが読み込めない場合にこのファイルを読み込むことによって再生可能にする。
【００６０】
個々のファイルは次のような内容を有する。
（ＶＭＧファイル群１８０ａ）
ＶＩＤＥＯ＿ＴＳ．ＩＦＯ：全体を制御する情報ファイル。各ＶＴＳ（タイトル）の映像情報、音声、字幕情報なども記録している。ＤＶＤを挿入時には、初めにこの情報を参照する。ここからタイトルのメニューに飛んだり、映像を再生したりしている。該ファイルの内容変更により、ＤＶＤ挿入時にメニューを表示させるのか、すぐに再生を開始するのか、などの制御を変更したりできる。
ＶＩＤＥＯ＿ＴＳ．ＶＯＢ：タイトルメニューの映像、音声などが入っている実データファイル。ＶＩＤＥＯ＿ＴＳ．ＩＦＯによって制御されている。映画ならば、警告画像や配給元画像などがおかれていることが多い。またファイル自体が存在しないこともある。
ＶＩＤＥＯ＿ＴＳ．ＢＵＰ：ＶＩＤＥＯ＿ＴＳ．ＩＦＯのバックアップファイル。
【００６１】
本発明においては、例えば、１枚のＤＶＤ−ｖｉｄｅｏディスクに１つの冊子型コンテンツのみを収録することもできるし、複数の冊子型コンテンツを収録することもできる。この場合は、各タイトルは収録されている個々の冊子型コンテンツの内容を与えるものとなる。冊子型コンテンツが１タイトルのみ収録されている場合は、ＶＩＤＥＯ＿ＴＳ．ＩＦＯにて、メニュー画面を経由せずに、図１５に示すように、冊子型コンテンツの動画ストリームデータファイルの再生処理を直ちに開始させるように制御記述することが可能である。一方、複数の冊子型コンテンツが収録されている場合は、図１６に示すように、ＶＩＤＥＯ＿ＴＳ．ＩＦＯにて、収録されている冊子型コンテンツを一覧表示するメニュー画面５１Ｍを表示するように制御記述することが可能である。この場合、メニュー画面５１Ｍにて所望の冊子型コンテンツを選択し、再生開始操作入力を行なうことで、図１５と同様に、選択された冊子型コンテンツの動画ストリームデータファイルの再生が開始されるようにＶＩＤＥＯ＿ＴＳ．ＩＦＯの内容が記述される。
【００６２】
また、１つの冊子型コンテンツの各章をタイトル分割してＤＶＤ−ｖｉｄｅｏディスクに収録することも可能である。この場合、ＶＩＤＥＯ＿ＴＳ．ＩＦＯは、図１７に示すように、冊子型コンテンツの各章を目次形式にて一覧表示するメニュー画面５１Ｍを表示するように制御記述しておくとよい。この場合、メニュー画面５１Ｍにて所望の章を選択し、再生開始操作入力を行なうことで、冊子型コンテンツの選択された章の動画ストリームデータファイルの再生が開始されるようにＶＩＤＥＯ＿ＴＳ．ＩＦＯの内容が記述される。
【００６３】
（ＶＴＳファイル群１８０ｂ）
ＶＴＳ＿＃＃＿０．ＩＦＯ：各ＶＴＳにあるファイルでＶＴＳ内のＶＯＢファイル（映像や音声、字幕）を制御しており、ファイル記述内容に応じてセルの再生順や音声、字幕の選択、メニューボタンのリンク先などが設定可能である（ここでは、タイトル０１を制御する情報ファイルとされている）。
ＶＴＳ＿＃＃＿０．ＢＵＰ：ＶＴＳ＿０１＿０．ＩＦＯのバックアップファイル。
ＶＴＳ＿＃＃＿０．ＶＯＢ：タイトル０１のメニュー実データファイル。冊子型コンテンツの表紙の画像や、チャプタ画像、さらには音声（ページめくり音など）や字幕選択画像などが入っている。またメニュー画面上でのボタン（操作領域）ジャンプ先の情報も記述されている（つまり、図６や図７では冊子型コンテンツないし章のタイトル画像がボタンとなっており、どのボタンが選択され実行されたかに応じて、対応する動画ストリームデータファイルのどれにジャンプするかがここに記述される）。
【００６４】
ＶＴＳ＿＃＃＿１〜９．ＶＯＢ：タイトル＃＃の映像、音声、字幕の入っている実データファイル。ＶＴＳ内のＶＴＳ＿＃＃＿０．ＩＦＯによって制御されている。ファイルサイズによってＶＴＳ＿＃＃＿１．ＶＯＢからＶＴＳ＿＃＃＿９．ＶＯＢまでのファイルが存在する。＃＃はＶＴＳごとに０１から最大９９まで設定することが可能である。１ＧＢ単位に、ＶＴＳ＿０１＿１・・・ＶＴＳ＿０１＿２・・・ＶＴＳ＿０１＿３・・・と続いていく。図１６や図１７の複数の冊子型コンテンツないし章の個々の動画ストリームデータを与えるものである。
【００６５】
上記の実データ（ＶＯＢファイルのデータ内容）は、図１８に示すように、さらに細かいセル（ｃｅｌｌ）に分けられており、固有のＶＯＢ−ＩＤ／ｃｅｌｌ−ＩＤがつけられている。具体的な構成は以下の通りである。
ＶＴＳ（タイトルセット番号）：ＶＴＳ０１＿１．ＶＯＢ  ＶＴＳ０２＿１．ＶＯＢ  などの単位。
ＰＧＣ（プログラム・チェーン）：ＶＯＢファイルの再生の条件、時間、および再生順序を制御している。ＶＭＧ内の最初のＰＧＣ名は「Ｆｉｒｓｔ  Ｐｌａｙ  ＰＧＣ」と定義されている。
ＰＴＴ（チャプタ番号）：一般的にメニューのチャプタはこの単位にジャンプしている。
ＰＧ（プログラム番号）：コマンドにより記述されたプログラムの単位として使用。
ｃｅｌｌ（セル番号）：ＶＯＢ−ＩＤ／ｃｅｌｌ−ＩＤをここに指定して再生を行なう。また、セル番号には任意のＶＯＢ−ＩＤ／ｃｅｌｌ−ＩＤを指定することができる（従って、指定内容によっては、必ずしもＶＯＢ−ＩＤ／ｃｅｌｌ−ＩＤ順に再生されるというわけではない）。
【００６６】
この実施形態では、図１３において、見開きページフレームＦＯＰと、その前後に隣接するいずれかのページめくりフレーム群ＦＰＴ（この実施形態では、着目している見開きページフレームＦＯＰｊの前に隣接するページめくりフレーム群ＦＰＴｊ）とが組になって１つのｃｅｌｌが構成され、再生順は当然、冊子型コンテンツのページ配列順に一致するように定められている。また、１つのセルが１つのチャプタを構成している。
【００６７】
図１１に戻り、ＤＶＤ読取装置５１４は、図示されないトレイに載置されたＤＶＤ−ｖｉｄｅｏディスク８０を回転駆動するとともに、回転駆動するＤＶＤ−ｖｉｄｅｏディスク８０から読み取った再生データのうち、プレゼンテーションデータ（前述のＶＯＢファイル：本編データファイルやメニューデータファイルのデータ）を再生出力部５１０に出力し、ナビゲーションデータ（前述のＩＦＯファイル：プログラムのデータ）を再生制御部５１５に出力する。
【００６８】
再生出力部５１０は、ＤＶＤドライバ５１８を介して読み込んだプレゼンテーションデータをデマルチプレクサ（ＤＥＭＵＸ）５１０ａにて読み込み、当該プレゼンテーションデータから映像データや音声データ等を抽出する。オーディオデコーダ５１０ｂは、抽出された音声データをデコードして音声出力装置５２０に出力し、ビデオデコーダ５１０ｃは抽出された動画データをデコードして表示装置５３０に出力する。サブピクチャ処理部５１０ｄは、サブピクチャをデコードし、サブピクチャ処理部５１０ｅにてサブピクチャ画像を生成するとともに、必要に応じて画像合成制御部５１０ｆにおいて、生成されたサブピクチャ画像と、ビデオデコーダ５１３にてデコードされた動画とを合成して表示装置５３０に出力する。
【００６９】
再生制御部５１５は、ＤＶＤドライバ５１８を介して読み込んだナビゲーションデータと、本体操作部５１６及び受信部（受光部）５１７から入力される操作信号とに基づいて、デジタルコンテンツ（プレゼンテーション）の再生シーケンスを決定し、決定した再生シーケンスにおける、再生出力部５１０の再生出力動作を制御する。
【００７０】
次に、再生制御部５１５には、本体操作部（操作パネル）５１６及び受信部（受光部）５１７が接続されており、ユーザーが、上記の本体操作部（操作パネル）５１６やリモコン５７０（図１９）を操作することにより、再生／停止等のユーザー所望の処理を実行できる。図１２において、本体操作部５１６は、操作スイッチ５１６として複数のプッシュスイッチ５１６ａ〜５１６ｈを備えており、再生／停止等を指示することができる。具体的には、５１６ａが電源スイッチ、５１６ｂがディスクトレーの開閉スイッチ、５１６ｃ及び５１６ｄがメニュー表示スイッチ、５１６ｅが再生スイッチ、５１６ｆが停止スイッチ、５１６ｇが一時停止スイッチ、５１６ｉが早送りスイッチ、５１６ｈが早戻しスイッチである。いずれかの操作スイッチ５１６へのプッシュ操作がなされると、その操作スイッチ５１６に対応する操作信号が再生制御部５１５に入力され、再生制御部５１５は、この操作信号に基づいて再生出力部を制御し、デジタルコンテンツの再生／停止等を実行する。
【００７１】
他方、図１９において、リモコン５７０は、操作ボタン５７０ａ〜５７０ｚを操作することにより、対応する操作信号が赤外線リモコン信号として出力される。この赤外線リモコン信号は図１の受信部（受光部）５１７に受光されるに伴い、この受光部５１７からリモコン５７０上で操作された操作ボタンに対応する操作信号が上記再生制御部５１５に入力される。再生制御部５１５は、この操作信号に基づいて再生出力部を制御し、デジタルコンテンツの再生／停止等を実行する。
【００７２】
具体的には、５７０ａが電源スイッチ、５７０ｂがディスクトレーの開閉スイッチ、５７０ｃ及び５７０ｄがメニュー表示スイッチ、５７０ｅが再生スイッチ、５７０ｆが停止スイッチ、５７０ｇが一時停止スイッチ、５７０ｉが早送りスイッチ、５７０ｈ、５７０ｊがスキップスイッチ（チャプタジャンプ：戻る）、５７０ｋがスキップスイッチ（チャプタジャンプ：進める）である。また、リモコン５７０は、表示装置５３０を入力表示画面として用いるグラフィックユーザーインターフェースの位置指示入力デバイスも兼ねており、指示位置移動スイッチ５７０ｚは、画面上での操作受付領域（ボタン等）の選択（カーソル移動）を行なうためのものであり、決定スイッチ５７０ｘはその選択状態の確定入力を行なうためのものである。
【００７３】
以下、冊子型コンテンツ表示装置５０１の動作について説明する。
図１２のＤＶＤ再生装置５０１の電源をＯＮとし、ディスクトレー開閉スイッチ５１６ｂ又はリモコン５７０のディスクトレー開閉スイッチ５７０ｂを操作して、冊子型コンテンツ表示用ＤＶＤ−ｖｉｄｅｏディスク８０を装着し、再度ディスクトレー開閉スイッチを操作することで、ＤＶＤ再生装置５０１にディスク８０がロードされる。
【００７４】
ＤＶＤ再生装置５０１側で、ディスク８０上のＶＩＤＥＯ＿ＴＳ．ＩＦＯファイルを読み込み、ここにコマンド記述されたプログラムを実行することにより、ＶＴＳ＿＃＃＿０．ＶＯＢからメニュー実データを読み込んで、図１６に示すメニュー画面５１Ｍを表示する。使用者は、リモコン５７０の指示位置移動スイッチ５７０ｚを操作して所望のコンテンツのアイコンを選択し、決定スイッチ５７０ｘを押す。すると、ＶＴＳ＿＃＃＿０．ＶＯＢの記述内容を参照して、ＶＴＳ＿＃＃＿１〜９．ＶＯＢ（動画ストリームデータファイル）のうち、アイコンに対応するものがどれであるかを特定する（例えば、ＶＴＳ＿０１＿１．ＶＯＢとする）。そして、ＶＴＳ＿０１＿０．ＩＦＯに格納されているプログラムを起動する。すると、ＶＴＳ＿０１＿１．ＶＯＢの動画ストリームデータファイルの再生が開始される。プログラムは動画ストリームデータファイルを先頭フレームから順次読み込んでゆくが、チャプタ末尾（セル末尾）の見開き画像フレームで自動的に一時停止がかかるように再生制御する。ファイル先頭には、コンテンツの表表紙を見開き片側にのみ表示した単独の見開き画像フレームからなるチャプタが配置されており、そのフレームを描画した段階ですぐに一時停止がかかる。すると、図１５に示すような画面が表示される。画面上には、順方向めくり操作受付領域をなす順方向めくりボタン（次ページボタン）５２ａ、逆方向めくり操作受付領域をなす逆方向めくりボタン（前ページボタン）５２ｂ、ページめくりを連続的に進めるための順方向早送りボタン（早送りボタン）５２ｃ及び逆方向早送りボタン（早戻しボタン）５２ｄが表示される。さらに、動画ストリームデータファイルＭＦＳの再生にかかるタイムバー５３が、現在再生中のフレーム位置を該タイムバー５３上にて示すタイムカーソル５３ｃとともに表示される。これらのボタンないしタイムバーの表示内容も、ＶＴＳ＿０１＿０．ＩＦＯに記述される。
【００７５】
図１５の状態では前ページが存在せず、順方向ページめくりのみが可能である。この状態での指示位置移動スイッチ５７０ｚを操作して順方向めくりボタン５２ａを選択し、決定ボタン５７０ｚを押下する。すると順方向にページがめくれ、図２０に示すような見開き表示状態となる。
【００７６】
図２１は、その状態からさらに順方向めくりボタン５２ａを押下したときの、また、図２２は同じく逆方向めくりボタン５２ｂを押下したときの、冊子型コンテンツ５１におけるページめくりアニメーションの表示例を示すものである。この実施形態では、横書き左開きの冊子を例に取り、左めくり方向が順方向ページめくり方向、右めくり方向が逆方向ページめくり方向である。従って、図中、左から右へ進む流れが順方向めくりの場合の流れを、右から左へ進む場合が逆方向めくりの場合の流れとなる。
【００７７】
順方向めくり時の場合は、図２１に示すごとく、めくり対象紙片である主ページ紙片６１Ｍは見開き状態で冊子右ページを構成し、補ページ紙片６１Ｃは左ページを構成する。補ページ紙片６１Ｃの現在表示中のページを第一ページ５１Ｌとし、主ページ紙片６１Ｍの現在表示中のページを第二ページ５１Ｒとし、該主ページ紙片６１Ｍの裏面を構成するページを第三ページ５１Ｌ’とし、第三ページ５１Ｌ’と対をなしてページめくり後の見開き状態を形成する主ページ紙片６１Ｍの下層ページを第四ページ５１Ｒ’とする。また、該主ページ紙片６１Ｍの紙片幅方向における綴じ合わせ側の縁をページ内縁とし、これと反対側の縁をページ外縁とする。
【００７８】
他方、逆方向めくり時の場合は、図２２に示すごとく、めくり対象紙片である主ページ紙片６１Ｍは見開き状態で冊子左ページを構成し、左ページを構成する紙片６１Ｃ’が補ページ紙片を構成する。補ページ紙片６１Ｃ’の現在表示中のページ５１Ｒ’が第一ページとなり、主ページ紙片６１Ｍの現在表示中のページ５１Ｌ’が第二ページとなり、該主ページ紙片６１Ｍの裏面を構成するページ５１Ｒが第三ページとなり、第三ページ５１Ｒと対をなしてページめくり後の見開き状態を形成する主ページ紙片６１Ｍの下層ページ５１Ｌが第四ページとなる。なお、いうまでもなく、縦書き右開き冊子では各紙片の配置及びめくり方向の定義は全て上記の逆となるが、本実施形態では、横書き左開き冊子における順方向めくり時の場合で代表させて説明を行なう。
【００７９】
すなわち、図２１に示す順方向めくりの場合は、ページ内縁をめくり軸線として主ページ紙片６１Ｍを第四ページ５１Ｒ’の紙面から浮き上がらせつつ第一ページ５１Ｌ上へめくり転回させる立体ページめくりアニメーションが表示され、第三ページ５１Ｌ’と第四ページ５１Ｒ’とからなるページめくり後の見開き表示状態へ切り替わる。また、図２２に示す逆方向めくりの場合は、ページ内縁をめくり軸線として主ページ紙片６１Ｍを第四ページ５１Ｌの紙面から浮き上がらせつつ第一ページ５１Ｒ’上へめくり転回させる立体ページめくりアニメーションが表示され、第三ページ５１Ｒと第四ページ５１Ｌとからなるページめくり後の見開き表示状態へ切り替わる。これらのアニメーション表示は、図１３に示す同じ動画ストリームデータファイルＭＳＦの順方向再生と逆方向再生とにより実現している。なお、順方向めくりにて次ページの見開き状態に移行した場合は次ページボタン５２ａの選択状態が、逆方向めくりにて前ページの見開き状態に移行した場合は前ページボタン５２ｂの選択状態がそれぞれ保持されるボタンレジューム機能を付加しておくと、決定ボタン７０ｘを連続押下することで順方向ないし逆方向に連続的にページめくりすることができるので、便利である。
【００８０】
なお、該ＤＶＤ−ｖｉｄｅｏディスク８０は、専用の再生装置のみでなく、ＤＶＤドライブ（及び再生ソフトウェア）を有した図１と同様の構成のパソコン上でも再生が可能である。この場合、図１を援用して説明すれば、マウス４が周知のドラッグ操作が可能であり、図２３に示すように、タイムバー５３上にて現在再生中のフレーム位置を示すタイムカーソル５３ｃをマウス４によりクリック保持することにより選択し、その状態でマウスをドラッグ移動することで、タイムカーソル５３ｃをタイムバー５３上にてスライド操作することができる。タイムカーソル５３ｃがタイムバー５３上をスライドするに伴ない、該タイムバー５３上にてタイムカーソル５３ｃが掃引する区間に対応するフレーム群が動画ストリームデータファイルＭＦＳから順次読み出され、コマ送り再生される。これにより、タイムバー５３上でタイムカーソル５３ｃをスライド操作することで、あたかも冊子の紙片をぱらぱらとめくるような感覚でページめくりアニメーションが連続的に再生され、閲覧したい目的ページを速やかに探し当てることができる。なお、タイムカーソル５３ｃの停止保持可能な位置を見開き画像フレームＦＯＰのみに限定しておけば、素早くスライド操作を行なった場合も見開き画像フレームＦＯＰの位置にタイムカーソル５３ｃが引き込まれ、ページめくり途中の状態で画像が静止する不具合を防止することができる。
【００８１】
以下、図１のＤＶＤ−ｖｉｄｅｏディスク作成装置１におけるオーサリングソフトウェアの処理流れを、フローチャートを用いて説明する。図２７は主処理の流れを示すものであり、オーサリングソフトウェアを立ち上げる、Ｓ１にて図２のメニュー画面が表示される。その項目のメニューを選択するかに応じて、対応する処理をそれぞれ独立に実行可能である（Ｓ５，Ｓ６，Ｓ７）。
【００８２】
図２８は、ページ画像取込処理の流れを示すフローチャートである。メニュー画面で「ページ画像取込処理」を選択すると該処理が立ち上がり、Ｓ５０１でページ画像データを取得する。Ｓ２ではページ番号を付与し、Ｓ５０３でハードディスクドライブ６等に記憶・保存する。取得した全てのページについて上記の処理を繰り返す（Ｓ５０４→Ｓ５０１）。そして、全ページについてページ番号付与が終了したら、Ｓ５０５でページ番号を修正するか否かを選択する。修正する場合はＳ５０６で番号修正し、Ｓ５０７で修正後のページ番号順にページ画像データをソートし、Ｓ５０８でその変更内容を保存する。
【００８３】
Ｓ５０９では、ページ番号ｋとページ紙片番号Ｌとを初期化する。そして、Ｓ５１０、Ｓ５１２でページ紙片の表裏に、ページ画像データを番号順にセットしてゆく。この処理は、ページ番号ｋとページ紙片番号Ｌとをインクリメントしながら（Ｓ５１１，Ｓ５１４）、全てのページ画像データが各ページ紙片にセットされるまで繰り返される（Ｓ５１３，Ｓ５１４→Ｓ５１０）。該処理が完了すれば、タイトルを付与してコンテンツ作成素材データファイルとして保存される。
【００８４】
次に、図２９は、動画ストリームデータファイルの作成処理の流れを示すものである。メニュー画面で「コンテンツ動画作成」を選択すると該処理が立ち上がり、図２４に示すように、用意されているコンテンツ作成素材データファイルのリスト２Ｍが表示されるので、所望のものを選択する。Ｓ５０１でページ紙片番号Ｌを初期化する。Ｓ６０２では、現在の番号（Ｌ）の紙片（以下、「紙片Ｌ」等と記載する）の表ページをページ番号ｊとして定め、Ｓ６０３のページめくりコマ（フレーム）作成処理となる。
【００８５】
図３０は、ページめくりコマ作成処理の詳細を示すものである。Ｓ１１０１〜Ｓ１１０５は、めくり開始側における第一種めくり投影面をなす各コマ（図３：Ｆ１〜Ｆ６）への画像投影処理を、Ｓ１２０１〜Ｓ１２０５は、同じく第二種めくり投影面をなす各コマ（図３：Ｆ７〜Ｆ１１）への画像投影処理を、Ｓ１３０１は、めくり転回角度θ＝９０の場合に対応する第二種めくり投影面を平面として挿入する処理を（ただし、前述のごとく、このステップは省略することができる）、Ｓ１４０１〜Ｓ１４０５は、めくり完了側における第二種めくり投影面をなす各コマ（図３：Ｆ１３〜Ｆ１７）への画像投影処理を、Ｓ１５０１〜Ｓ１５０５は、同じく第一種めくり投影面をなす各コマ（図３：Ｆ１９〜Ｆ２３）への画像投影処理をそれぞれ示す。
【００８６】
いずれのブロックでも、先頭ステップ（Ｓ１１０２、Ｓ１２０２、Ｓ１３０２及びＳ１４０２）では、主ページ紙片のめくり投影面の演算ステップとなっているが、前述のごとく、これをピクセル変換テーブルの参照処理に置きかえることができる。また、中央のステップ（Ｓ１１０３、Ｓ１２０３、Ｓ１３０３及びＳ１４０３）では、めくり投影面へのピクセル変換・貼り付け処理であり、最後のステップは見開き状態の背景ページと、上記の主ページ紙片の画像とを合成してコマの画像データを作成するステップである。この処理が、各ブロックにて対象となる全てのコマについて繰り返される。
【００８７】
図２９に戻り、Ｓ６０４では、ページめくり完了後のフレームとして、紙片Ｌの裏ページと紙片Ｌ＋１の表ページとからなる見開きフレームを作成する。これらの処理が、選択したコンテンツ作成素材データファイルの全てのページ紙片について完了するまで繰り返す（Ｓ６０５，Ｓ６０６→Ｓ６０２）。該一連の処理により作成されたフレームは作成順に配列する形で、タイトルを付与して動画ストリームデータファイルとして保存される。
【００８８】
図３１は、ＤＶＤ作成処理の詳細を示すものである。処理の主たる内容は、動画ストリームデータファイルをＤＶＤ−ｖｉｄｅｏファイルに加工することである。まず、メニュー画面で「ＤＶＤ作成処理」を選択すると該処理が立ち上がり、図２５に示すように、用意されている動画ストリームデータファイルのリスト２Ｎが表示されるので、所望のものを選択する（複数選択することが可能であり、チェックボックス２Ｃはその選択状態を示すものである）。Ｓ７０２ではＶＴＳ（Video Title Set：図１８）の番号Ｑを初期化し、Ｓ７０２では選択した動画ストリームデータファイルの収録順を示す動画番号Ｕを初期化する。Ｓ７０４では、ＰＧＣ（Program Chain）の番号Ｗに動画番号Ｕをセットする。Ｕがインクリメントされるに伴ない、選択された動画ストリームデータファイルのＤＶＤ−ｖｉｄｅｏファイルへの組み込み処理が順次実施される。具体的には、現在の動画番号Ｕの動画ストリームデータファイルについて、ページめくり単位でチャプタ（及びセル）に分割する処理が実行される。まずＳ７０５では、ページ紙片番号Ｌが初期化され、Ｓ７０６では紙片Ｌ＝１の表ページ（つまり、表紙）をメニュー画像として、ＶＴＳ＿Ｗ＿０．ＶＯＢに保存する。
【００８９】
次に、Ｓ７０７では、紙片Ｌをめくり紙片とするめくりフレーム群と、次の見開きページフレーム、すなわち紙片Ｌと紙片Ｌ＋１により形成される見開きページフレームとを１セットとして、紙片番号Ｌに対応するチャプタ番号Ｃｐ（及びセル番号）を付与し（図１３参照）、ＶＴＳ＿Ｗ＿１．ＶＯＢに保存する。そして、Ｓ７０８では、紙片Ｌに対応するページめくり表示制御プログラムＰｇ（図１８参照）をＶＴＳ＿Ｗ＿０．ＩＦＯに保存する。
【００９０】
図１３は、そのページめくり表示制御プログラムの処理内容を示すフローチャートである。最初にＳ１にて、図２３のタイムバー５３のカーソル５３ｃがスライド操作（ドラッグ）されたかどうかを確認し、操作されていれば、ボタン操作等によるページめくり処理へ進まずにＳ１１へ分岐し、タイムカーソル５３ｃが示すタイムスタンプ位置をリードして、Ｓ１２で、そのタイムスタンプに対応するフレームにジャンプし、表示を行なう。マウスによるカーソルのドラッグ操作が中止されるまで、Ｓ１→Ｓ１１，Ｓ１２の処理は繰り返し継続され、図２３に示す連続ページめくり処理が実現する。
【００９１】
一方、カーソル５３ｃが操作されていなければＳ２に進み、次ページボタン５２ａが押された場合はＳ２１に進んで次のチャプタのフレーム群を順方向再生し、そのチャプタの最終フレームにたどり着けばＳ１０１に進んで一時停止する。図１３を用いて説明すると、現在表示中（つまり、一時停止中）のフレームを見開き画像フレームＦＯＰｊ＋１（チャプタＣｐｊ＋１の最終フレーム）として、次のチャプタＣｐｊ＋２のめくりフレーム群ＦＰＴｊ＋２を順方向再生し、そのチャプタＣｐｊ＋２の最終フレームである見開き画像フレームＦＯＰｊ＋２にて一時停止する。これにより、図１１に示す順方向ページめくりアニメーションが１ページ分だけ再生・表示される（通常モード）。
【００９２】
また、Ｓ３で前ページボタン５２ｂが押された場合はＳ３１に進んで現在のチャプタのフレーム群を逆方向再生し、前のチャプタの最終フレームにたどり着けばＳ１０１に進んで一時停止する。図１３を用いて説明すると、現在表示中（つまり、一時停止中）のフレームを見開き画像フレームＦＯＰｊ＋１（チャプタＣｐｊ＋１の最終フレーム）として、そのチャプタＣｐｊ＋１のめくりフレーム群ＦＰＴｊ＋１を順方向再生し、１つ前のチャプタＣｐｊの最終フレームである見開き画像フレームＦＯＰｊにて一時停止する。これにより、図１２に示す順方向ページめくりアニメーションが１ページ分だけ再生・表示される（通常モード）。
【００９３】
また、Ｓ４において早送りボタン５２ｃが押された場合（図１２のスイッチ１６ｉないし図１９のスイッチ７０ｉの押圧操作も同じ）はＳ４１に進み、見開き画像フレーム毎に一時停止するＳ１０１をスキップし、順方向にチャプタを連続再生する。また、Ｓ５において早戻しボタン５２ｄが押された場合（図１２のスイッチ１６ｈないし図１９のスイッチ７０ｈの押圧操作も同じ）はＳ５１に進み、見開き画像フレーム毎に一時停止するＳ１０１のステップを飛ばし、逆方向にチャプタを連続順再生する（早送りモード）。この状態で、次ページボタン５２ａないし前ページボタン５２ｂを押圧操作すると、早送りモードは解除され、通常モードに復帰する。なお、上記のページめくりに伴ない、図１０のタイムバー５３上にてタイムカーソル５３ｃは、現在表示中のフレーム位置に応じてリアルタイムにその位置を変化させる。タイムカーソル５３ｃの位置から、冊子型コンテンツのどのあたりを閲覧中であるかを概略把握することができる。
【００９４】
図３１に戻り、以上の処理を、動画ストリームデータファイルの全ての紙片について繰り返す（Ｓ７０９、Ｓ７１０→Ｓ７０７）。また、複数の動画ストリームデータファイルが選択されている場合には、上記の処理を各動画ストリームデータファイルについて繰り返す（Ｓ７１１，Ｓ７１２→Ｓ７０４）。
【００９５】
Ｓ７１３では、ＶＴＳ＿Ｗ＿０．ＶＯＢに保存されているメニュー画像を用いてタイトルメニューを作成し、ＶＩＤＥＯ＿ＴＳ．ＶＯＢファイルに保存する。タイトルメニュー画面の仕様は、例えば図２６に示すようなタイトルメニューフォーマット画像２Ｐをリスト表示し、ユーザーが自由に選択できるようにしておくと便利である。そして、Ｓ７１４では、ＤＶＤ−ｖｉｄｅｏディスクを再生装置にセットしたときの起動シーケンス、例えばメニュー画面の表示設定内容（例えば、再生装置にセットしたとき、メニュー画面を最初に表示するのか、メニュー画面をスキップして直ちに動画ストリームデータファイルの再生処理（つまり、コンテンツの表示）に進むのか、など）をＶＩＤＥＯ＿ＴＳ．ＩＦＯファイルに書き込む。以上でＤＶＤ−ｖｉｄｅｏデータファイルが完成し、Ｓ７１５に進んでこれをＤＶＤメディアに書き込む。
【符号の説明】
【００９６】
１  冊子型コンテンツ表示用ＤＶＤ−ｖｉｄｅｏディスク作成装置
５１  冊子型コンテンツ
５１Ｌ  第一ページ
５１Ｒ  第二ページ
５１Ｌ’  第三ページ
５１Ｒ’  第四ページ
６１Ｍ  主ページ紙片
６１Ｊ  ページ内縁
６１Ｅ  ページ外縁
６１Ｃ  補ページ紙片
１０３ｅ  ページ画像データ
５０１  コンテンツ表示システム
８０  冊子型コンテンツ表示用ＤＶＤ−ｖｉｄｅｏディスク
８０ａ  ＤＶＤ−ｖｉｄｅｏデータ
１８０ａ  ＶＭＧファイル群
１８０ｂ  ＶＴＳファイル群
ＦＯＰ  見開き画像フレーム
ＦＰＴ  ページめくりフレーム群
ＭＦＳ  動画ストリームデータファイル
【図１】
2010278905.tif 000003
【図２】
2010278905.tif 000004
【図３】
2010278905.tif 000005
【図４】
2010278905.tif 000006
【図５】
2010278905.tif 000007
【図６】
2010278905.tif 000008
【図７】
2010278905.tif 000009
【図８】
2010278905.tif 000010
【図９】
2010278905.tif 000011
【図１０】
2010278905.tif 000012
【図１１】
2010278905.tif 000013
【図１２】
2010278905.tif 000014
【図１３】
2010278905.tif 000015
【図１４】
2010278905.tif 000016
【図１５】
2010278905.tif 000017
【図１６】
2010278905.tif 000018
【図１７】
2010278905.tif 000019
【図１８】
2010278905.tif 000020
【図１９】
2010278905.tif 000021
【図２０】
2010278905.tif 000022
【図２１】
2010278905.tif 000023
【図２２】
2010278905.tif 000024
【図２３】
2010278905.tif 000025
【図２４】
2010278905.tif 000026
【図２５】
2010278905.tif 000027
【図２６】
2010278905.tif 000028
【図２７】
2010278905.tif 000029
【図２８】
2010278905.tif 000030
【図２９】
2010278905.tif 000031
【図３０】
2010278905.tif 000032
【図３１】
2010278905.tif 000033
【図３２】
2010278905.tif 000034